(57)【特許請求の範囲】
【請求項１】
溢水の機械的監視装置と、前記機械的監視装置の状態が一定の状態に達したときその接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有する食器洗い機。
【請求項２】
機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有する食器洗い機。
【請求項３】
マイクロコンピュータが溢水を検知すると音や表示などにより異常が発生したことを知らせる異常報知装置を有する請求項１または２記載の食器洗浄機。
【請求項４】
検知スイッチを直列接続したコンデンサの接続点と抵抗の間に配置した請求項１または２記載の食器洗い機。
【請求項５】
フロートおよび検知スイッチによる溢水検知をフロートとともに移動する磁石とリードスイッチの組み合わせとした請求項１〜３のいずれか１項に記載の食器洗い機。
【請求項６】
機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電流変化をマイクロコンピュータに読み込ませる第２の入力回路とを備え、前記制御回路を前記直流整流回路と前記スイッチの制御端子の間に配置し、前記検知スイッチを前記直列接続コンデンサの接続点から前記スイッチの制御端子に至る経路の一部に配置し、溢水が発生するとスイッチがオンして機器に電力が供給され、マイクロコンピュータにより第２の入力回路の電圧を読んで溢水が発生したことを検知して排水装置を駆動する機能を有する食器洗い機。
【発明の詳細な説明】
【０００１】
【発明の属する技術分野】
本発明は、食器を洗浄する食器洗い機に関するものである。
【０００２】
【従来の技術】
従来、食器洗い機は、給水弁の故障などで電源オフ時に意図せぬ給水が行われると洗浄槽から水が溢れ、または洗浄槽などに水漏れがあると、機体の底面に水が溜まるというような故障が発生した場合、そのまま放置しておくと水による機体内の電子回路の二次故障または機体外にまで水が溢れて拡大被害が発生する。
【０００３】
これを防止するため、従来、マイクロコンピュータ、センサなどを含む電子回路を常に通電状態とし、その監視を行ってきた。そして、センサにより異常を検知すると排水装置を駆動し、それ以上溢水が増加しないようにして被害の拡大を食い止めるという方法を採ってきた。
【０００４】
この種の食器洗い機について、図６を参照しながら説明する。
【０００５】
図６に示すように、食器洗い機本体１２は、その底面１２ａにフロート１３を上下動自在に設け、底面１２ａに水がたまると浮力により上昇し、マイクロスイッチ（検知スイッチ）１０の接点を閉じる構造となっている。排水装置１４は洗浄槽などに溜まっている水を排水するものである。
【０００６】
マイクロコンピュータ９ａを含む電子回路９には常に交流電源１から通電しており、マイクロスイッチ１０の端子はマイクロコンピュータ入力に接続されている。食器洗い機本体１２の底面１２ａに水がたまりフロート１３が上昇すると、マイクロスイッチ１０がオンしてマイクロコンピュータ入力端子がローとなる。
【０００７】
これをマイクロコンピュータ９ａが認識して抵抗５１にロー出力を出し、トランジスタ５２はオンとなり、電源５３より抵抗５４を介してリレーコイル５５ｂに電流が流れる。これにより、リレー接点５５ａは閉じて排水装置１４に電力を供給し、マイクロコンピュータ出力による排水装置オン信号により排水装置１４が動作する。
【０００８】
【発明が解決しようとする課題】
しかしながら、このような従来の構成では、溢水の監視のため電子回路９を常に通電状態としていたため、機器が常時電力（有効電力）を消費しているという問題を有していた。
【０００９】
本発明は上記従来の課題を解決するもので、機器の故障による溢水異常を検知すると排水装置を駆動して、２次被害または拡大被害を防止するとともに、その監視状態においては、有効消費電力を微少または０とすることを目的としている。
【００１０】
【課題を解決するための手段】
本発明は上記目的を達成するために、溢水が発生して検知スイッチの接点が閉じたときにはじめて、機器内の交流電源ライン間に直列に接続したコンデンサの１つの両端から得られる電圧を検知スイッチを通して制御回路に供給し、交流電源ラインに配置されたスイッチをオンし、これにより動作を始めるマイクロコンピュータにより検知スイッチがオンしていることを認識して溢水の発生を検知し、排水装置を駆動するものである。
【００１１】
これにより、機器の故障による溢水異常を検知すると排水装置を駆動して、２次被害または拡大被害を防止できるとともに、その監視状態においては、有効消費電力を微少または０とすることができる。
【００１２】
【発明の実施の形態】
本発明の請求項１に記載の発明は、溢水の機械的監視装置と、前記機械的監視装置の状態が一定の状態に達したときその接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有するものであり、溢水の機械的監視装置と検知スイッチと交流電源ライン間に直列に配置したコンデンサから得られる出力により、機器の故障による溢水異常を検知すると排水装置を駆動して、２次被害または拡大被害を防止できるとともに、その監視状態においては、有効消費電力を微少または０とすることができる。
【００１３】
請求項２に記載の発明は、機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有するものであり、フロートと検知スイッチの組み合わせにより、機器の故障による溢水異常を検知すると排水装置を駆動して、２次被害または拡大被害を防止できるとともに、その監視状態においては、有効消費電力を微少または０とすることができる。
【００１４】
請求項３に記載の発明は、上記請求項１または２に記載の発明において、マイクロコンピュータが溢水を検知すると音や表示などにより異常が発生したことを知らせる異常報知装置を有するものであり、異常が発生したとき、異常報知装置により、早急に使用者にその異常を知らせることができる。
【００１５】
請求項４に記載の発明は、上記請求項１または２に記載の発明において、検知スイッチを直列接続したコンデンサの接続点と抵抗の間に配置したものであり、電源オフ時における溢水監視時の有効消費電力を０とすることができる。
【００１６】
請求項５に記載の発明は、上記請求項１〜３に記載の発明において、フロートおよび検知スイッチによる溢水検知をフロートとともに移動する磁石とリードスイッチの組み合わせとしたものであり、フロートが検知スイッチの制御端子を押してその接点を閉じるために必要な力に比べ、フロートと磁石による重量の方が軽いため、フロートを小型化することができ、より小型のフロートの採用、占有面積、占有体積を小さくすることができ、機器の小型化、設計の自由度を向上することができる。
【００１７】
請求項６に記載の発明は、機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電流変化をマイクロコンピュータに読み込ませる第２の入力回路とを備え、前記制御回路を前記直流整流回路と前記スイッチの制御端子の間に配置し、前記検知スイッチを前記直列接続コンデンサの接続点から前記スイッチの制御端子に至る経路の一部に配置し、溢水が発生するとスイッチがオンして機器に電力が供給され、マイクロコンピュータにより第２の入力回路の電圧を読んで溢水が発生したことを検知して排水装置を駆動する機能を有するものであり、マイクロコンピュータの電源ラインが交流電源ラインと異なる電位のときにおいても、溢水監視時における有効消費電力を微少または０とすることができる。したがって、マイクロコンピュータを含む電子回路が交流電源の全波整流後に構成されている場合などにおいても、本発明を実施することができる。
【００１８】
【実施例】
以下、本発明の実施例について、図面を参照しながら説明する。なお、従来例と同じ構成のものは同一符号を付して説明を省略する。
【００１９】
（実施例１）
図１に示すように、交流電源１は、ライン間に直列に接続した第１のコンデンサ（コンデンサ）２および第２のコンデンサ（コンデンサ）を接続し、交流電源１のＡ側端子に第１のコンデンサ２の一端を、交流電源１のＢ側端子に第２のコンデンサ３の一端を接続する。以降、第１のコンデンサ２と第２のコンデンサ３との接続点をコンデンサ出力点という。
【００２０】
抵抗４は第１のコンデンサ２の両端に接続し、この抵抗は直流整流回路５のコンデンサ５ａの直流整流電圧、電流を高め、制御回路７のトランジスタ７ａの電流増幅率の選択幅を広め、抵抗７ｂ、１１ｂなどの抵抗値の選択幅を広げ、第１のコンデンサ２と第２のコンデンサ３の容量値を小さくできるなどの効果を有しているが、なしとすることも可能である。
【００２１】
直流整流回路５は、第１のコンデンサ２の両端に、コンデンサ出力点からダイオード５ｂのアノード、カソード、コンデンサ５ａの順に接続している。リレー６は、スイッチを構成するもので、交流電源１のＢ側ラインに配置されたリレー接点６ａと、スイッチ制御部であるリレーコイル６ｂにより構成している。
【００２２】
制御回路７は、リレーコイル６ｂの駆動を通してリレー接点６ａの開閉を制御するものであり、トランジスタ７ａとそのベース抵抗７ｂおよびコイル電流を定格値以内に制限する抵抗７ｃからなっている。その接続は、リレーコイル６ｂに接続した抵抗器７ｃの他端をトランジスタ７ａのコレクタに接続し、そのベースは抵抗器７ｂに接続し、エミッタは交流電源のＡ側端子に接続している。制御回路６は電流増幅回路あるいは電圧増幅回路により構成することができ、その素子としてはトランジスタ、ＦＥＴ、フォトカプラなどにより実現できるが、本実施例ではトランジスタによる電流増幅回路の一例を示す。
【００２３】
第２の直流整流回路８は、リレーコイル６ｂを駆動するための電源である。その接続は、交流電源１のＢ側端子からＡ側端子に、抵抗器８ｃ、ダイオード８ｂのアノード、カソード、コンデンサ８ａの順に接続しており、リレーコイル６ｂの他端をダイオード８ｂとコンデンサ８ａの接続点に接続している。電子回路９は、電子回路中のマイクロコンピュータ９ａを有し、そのマイナス電源を交流電源１のＡ側端子と接続している。
【００２４】
マイクロスイッチ（検知スイッチ）１０は、直流整流回路５の出力と抵抗７ｂに接続している。入力回路１１はマイクロスイッチ１０と抵抗７ｂの接続点から交流電源１のＡ側端子にかけて、抵抗１１ｂ、定電圧ダイオード１１ａのカソード、アノードの順に接続し、定電圧ダイオード１１ａのカソードをマイクロコンピュータ９ａに入力している。
【００２５】
本実施例においては、コンデンサ５ａの直流整流電圧はマイクロコンピュータ９ａの入力端子電圧定格より高い電圧を発生するものとする。したがって、定電圧ダイオード１１ａは、その動作電圧が、マイクロスイッチ１０の接点が閉じたとき、マイクロコンピュータ９ａの入力端子に印加される電圧は、マイクロコンピュータ９ａの入力電圧定格以下であり、かつマイクロコンピュータ９ａのハイレベル検知のスレショールド電圧以上のものを使用するものとする。
【００２６】
食器洗い機本体１２は、その底面１２ａにフロート１３を上下動自在に設けている。フロート１３は溢水の機械的監視装置を構成しており、底面１２ａに水がたまると浮力により上昇し、マイクロスイッチ（検知スイッチ）１０の接点を閉じる構造となっている。排水装置１４は、給水により洗浄槽に溜まっている水と洗浄槽より溢水した水を排水するものである。
【００２７】
上記構成において動作を説明する。第１のコンデンサ２には、交流電源１を第２のコンデンサ３とで分圧した交流電圧が発生し、この分圧電圧を直流整流回路５のコンデンサ５ａおよびダイオード５ｂにより、コンデンサ５ａの両端に直流電圧が発生する。抵抗４は直流整流回路５の出力電圧および電流を高めるためのものであり、以降の回路の制御性を高めるためのものである。
【００２８】
今、食器洗い機本体１２の給水弁（図示せず）の故障により、洗浄槽から溢れた水が食器洗い機本体１２の底面１２ａに溢水したり、洗浄槽の故障により水が漏れるなどして、食器洗い機本体１２の底面１２ａに水がたまると、その水位に応じてフロート１３が上昇し、マイクロスイッチ１０を押すと、その接点が閉じる。
【００２９】
この結果、直流整流回路５のコンデンサ５ａより制御回路７のベース抵抗７ｂを介してトランジスタ７ａにベース電流が供給されるため、トランジスタ７ａはオンし、第２の直流整流回路８よりコレクタ電流が流れ、抵抗７ｃにより制限された電流がリレーコイル６ｂに流れ、リレー接点６ａは閉じる。これによりマイクロコンピュータ９ａは動作を始める。
【００３０】
マイクロコンピュータ９ａは入力回路１１からの電圧がハイであることを検知して、マイクロスイッチ１０の接点が閉じたことを認識し、その出力から排水装置１４を駆動して排水を行う。
【００３１】
このように、フロート１３とマイクロスイッチ１０と交流電源１のライン間に直列に配置した第１のコンデンサ２と第２のコンデンサ３から得られる出力により、食器洗い機本体１２の故障による溢水異常を検知すると排水装置１４を駆動して、２次被害または拡大被害を防止できるとともに、その監視状態においては、有効消費電力を微少または０とすることができる。
【００３２】
（実施例２）
図２に示すように、異常報知装置１５は、マイクロコンピュータ９ａが溢水を検知すると、音や表示などにより異常が発生したことを知らせるものである。他の構成は上記実施例１と同じである。
【００３３】
上記構成において動作を説明する。入力回路１１よりマイクロコンピュータ９ａにハイ信号が入力すると、上記実施例１と同様に、排水装置１４を駆動するとともに、異常報知装置１５に異常を音あるいは表示などにより報知し、使用者に異常が発生したことを知らせる。これにより、２次災害、拡大被害、水道の無用な供給停止のための情報を得ることができる。
【００３４】
（実施例３）
図３に示すように、マイクロスイッチ１０を第１のコンデンサ２と第２のコンデンサ３の接続点と抵抗４とダイオード５ｂの接続点の間に配置し、直流整流回路５のコンデンサ５ａと抵抗７ｂと抵抗１１ｂの接続点を接続している。他の構成は上記実施例１と同じである。
【００３５】
上記構成において動作を説明する。上記実施例１においては、直流整流回路５には常時直流整流電圧が発生し、また抵抗４によりわずかな有効電力ロスが発生していたが、本実施例によると、マイクロスイッチ１０が閉じることにより、はじめて直流整流電圧が発生し、これにより制御回路７が動作をする。また、マイクロスイッチ１０が閉じたとき、はじめて抵抗４により有効電力ロスが発生するため、溢水監視時は有効消費電力は０となる。
【００３６】
（実施例４）
図４に示すように、磁石１６はフロート１３の上に配置し、フロート１３の上下動とともに移動するもので、この磁石１６に対向してリードスイッチ１７を設け、溢水を検知するよう構成している。他の構成は上記実施例１と同じである。
【００３７】
上記構成において動作を説明する。溢水によりフロート１３が上昇すると、一緒に移動する磁石１６がリードスイッチ１７に一定距離まで接近すると、磁力によりリードスイッチ１７がオンとなる。これにより、上記実施例１〜３と同様の動作をすることができる。
【００３８】
（実施例５）
図５に示すように、第２の入力回路１８は、マイクロスイッチ１０と抵抗７ｂの間にフォトダイオード１８ａを接続し、マイクロコンピュータ９ａのプラス電源とマイナス電源間にフォトトランジスタ１８ｂ、抵抗１８ｃを接続し、フォトトランジスタ１８ｂと抵抗１８ｃの接続点をマイクロコンピュータ９ａに入力している。他の構成は上記実施例１と同じである。
【００３９】
上記構成において動作を説明する。マイクロスイッチ１０が閉じると、フォトダイオード１８ａを流れる電流により、フォトトランジスタ１８ｂに電流が流れ、抵抗１８ｃによりマイクロコンピュータ９ａにはハイ電圧が入力される。これにより、マイクロコンピュータ９ａは溢水異常が発生したものと判断する。
【００４０】
本実施例は、マイクロコンピュータ９ａの電源電位が交流電源１のラインと共通でないときにおいても、上記実施例１と同様の作用、効果を得ることができる。
【００４１】
【発明の効果】
以上のように本発明の請求項１に記載の発明によれば、溢水の機械的監視装置と、前記機械的監視装置の状態が一定の状態に達したときその接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有するから、溢水の機械的監視装置と検知スイッチと交流電源ライン間に直列に配置したコンデンサから得られる出力により、機器の故障による溢水異常を検知すると排水装置を駆動して、２次被害または拡大被害を防止できるとともに、その監視状態においては、有効消費電力を微少または０とすることができる。
【００４２】
また、請求項２に記載の発明によれば、機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電圧をマイクロコンピュータに入力する入力回路とを備え、前記制御回路を前記直流整流回路と前記スイッチの制御端子の間に配置し、前記検知スイッチを前記直列接続したコンデンサの接続点から前記スイッチの制御端子に至る経路の一部に配置し、溢水が発生するとスイッチがオンして機器に電力が供給され、マイクロコンピュータにより入力回路の電圧を読んで溢水が発生したことを検知して排水装置を駆動する機能を有するから、フロートと検知スイッチの組み合わせにより、機器の故障による溢水異常を検知すると排水装置を駆動して、２次被害または拡大被害を防止できるとともに、その監視状態においては、有効消費電力を微少または０とすることができる。
【００４３】
また、請求項３に記載の発明によれば、マイクロコンピュータが溢水を検知すると音や表示などにより異常が発生したことを知らせる異常報知装置を有するから、異常が発生したとき、異常報知装置により、早急に使用者にその異常を知らせることができる。
【００４４】
また、請求項４に記載の発明によれば、検知スイッチを直列接続したコンデンサの接続点と抵抗の間に配置したから、電源オフ時における溢水監視時の有効消費電力を０とすることができる。
【００４５】
また、請求項５に記載の発明によれば、フロートおよび検知スイッチによる溢水検知をフロートとともに移動する磁石とリードスイッチの組み合わせとしたから、フロートが検知スイッチの制御端子を押してその接点を閉じるために必要な力に比べ、フロートと磁石による重量の方が軽いため、フロートを小型化することができ、より小型のフロートの採用、占有面積、占有体積を小さくすることができ、機器の小型化、設計の自由度を向上することができる。
【００４６】
また、請求項６に記載の発明によれば、機器の底面に溢水が発生すると上昇するフロートと、前記フロートの上昇により接点が閉じる検知スイッチと、排水装置と、機器内の交流電源ライン間に直列に接続したコンデンサと、前記コンデンサの１つの両端に接続した抵抗と、前記コンデンサの１つの両端から得られる直流整流回路と、交流電源ラインに配置したスイッチと、前記スイッチの制御端子を制御する制御回路と、前記制御回路の電源となる交流電源ラインから得た第２の直流整流回路と、前記スイッチが閉じると機器に電力が供給され動作を始めるマイクロコンピュータと、前記検知スイッチのオンオフにより変化する回路中の電流変化をマイクロコンピュータに読み込ませる第２の入力回路とを備え、前記制御回路を前記直流整流回路と前記スイッチの制御端子の間に配置し、前記検知スイッチを前記直列接続コンデンサの接続点から前記スイッチの制御端子に至る経路の一部に配置し、溢水が発生するとスイッチがオンして機器に電力が供給され、マイクロコンピュータにより第２の入力回路の電圧を読んで溢水が発生したことを検知して排水装置を駆動する機能を有するから、マイクロコンピュータの電源ラインが交流電源ラインと異なる電位のときにおいても、溢水監視時における有効消費電力を微少または０とすることができる。したがって、マイクロコンピュータを含む電子回路が交流電源の全波整流後に構成されている場合などにおいても、本発明を実施することができる。
【図面の簡単な説明】
【図１】本発明の第１の実施例の食器洗い機の回路図
【図２】本発明の第２の実施例の食器洗い機の回路図
【図３】本発明の第３の実施例の食器洗い機の回路図
【図４】本発明の第４の実施例の食器洗い機の回路図
【図５】本発明の第５の実施例の食器洗い機の回路図
【図６】従来の食器洗い機の回路図
【符号の説明】
１    交流電源
２    第１のコンデンサ（コンデンサ）
３    第２のコンデンサ（コンデンサ）
４    抵抗
５    直流整流回路
６ａ  リレー接点（スイッチ）
７    制御回路
８    第２の直流整流回路
９ａ  マイクロコンピュータ
１０  マイクロスイッチ（検知スイッチ）
１１  入力回路
１３  フロート（溢水の機械的監視装置）
１４  排水装置
【図１】
0004154842.tif 000002
【図２】
0004154842.tif 000003
【図３】
0004154842.tif 000004
【図４】
0004154842.tif 000005
【図５】
0004154842.tif 000006
【図６】
0004154842.tif 000007